(57)【特許請求の範囲】
【請求項１】
表面に凸状部が形成され、表面が加飾された建築板であって、
前記凸状部は、
前記凸状部の頂部を形成する、平面又は平面状の上面と、
前記上面に連続し、前記凸状部の基端側に向けて裾広がり状に傾斜し、前記建築板が建築物に取り付けられた取付状態において、前記上面に対して鉛直方向の下側に配置される、平面又は平面状の第一傾斜面と、
前記上面に連続し、前記凸状部の基端側に向けて裾広がり状に傾斜し、前記取付状態において、前記上面に対して鉛直方向の上側に配置される、平面又は平面状の第二傾斜面と、を含み、
前記第一傾斜面は、ＪＩＳ  Ｚ  ８７２９：２００４のＬ＊ａ＊ｂ＊表色系における明度が、前記上面に対する基準明度値より低い第一明度値となるように加飾され、
前記第二傾斜面は、前記明度が、前記上面に対する前記基準明度値より高い第二明度値となるように加飾され、
前記凸状部は、前記上面と前記第一傾斜面との境界で、前記明度が前記基準明度値から前記第一明度値へと変化し、且つ前記上面と前記第二傾斜面との境界で、前記明度が前記基準明度値から前記第二明度値へと変化した加飾状態とされる、建築板。
【請求項２】
前記第二傾斜面は、前記第一傾斜面より、前記明度が９以上高くなるように加飾されている、請求項１に記載の建築板。
【請求項３】
請求項１又は請求項２に記載の建築板を含む建築物であって、
前記第一傾斜面が前記上面に対して鉛直方向の下側に配置され、且つ前記第二傾斜面が前記上面に対して鉛直方向の上側に配置された状態で、前記建築板が取り付けられている、建築物。
【請求項４】
表面に凸状部が形成され、前記凸状部が、前記凸状部の頂部を形成する、平面又は平面状の上面と、前記上面に連続し、前記凸状部の基端側に向けて裾広がり状に傾斜し、建築板が建築物に取り付けられた取付状態において、前記上面に対して鉛直方向の下側に配置される、平面又は平面状の第一傾斜面と、前記上面に連続し、前記凸状部の基端側に向けて裾広がり状に傾斜し、前記取付状態において、前記上面に対して鉛直方向の上側に配置される、平面又は平面状の第二傾斜面と、を含む、前記建築板の基材の表面を加飾する加飾方法であって、
前記上面と、前記第一傾斜面と、前記第二傾斜面と、を含む前記基材の表面を加飾する加飾工程を含み、
前記加飾工程では、
前記第一傾斜面は、ＪＩＳ  Ｚ  ８７２９：２００４のＬ＊ａ＊ｂ＊表色系における明度が、前記上面に対する基準明度値より低い第一明度値となるように加飾され、
前記第二傾斜面は、前記明度が、前記上面に対する前記基準明度値より高い第二明度値となるように加飾され、
前記凸状部は、前記上面と前記第一傾斜面との境界で、前記明度が前記基準明度値から前記第一明度値へと変化し、且つ前記上面と前記第二傾斜面との境界で、前記明度が前記基準明度値から前記第二明度値へと変化した加飾状態とされる、加飾方法。
【請求項５】
前記加飾工程において、前記第二傾斜面は、前記第一傾斜面より、前記明度が９以上高くなるように加飾される、請求項４に記載の加飾方法。
【請求項６】
前記加飾工程において、前記第二傾斜面は、前記第一傾斜面より、前記明度が３１以上高くなるように加飾される、請求項４に記載の加飾方法。
【請求項７】
前記加飾工程では、インクジェット記録装置が備えるインクジェットヘッドからインクを吐出して、前記基材の表面を加飾する、請求項４から請求項６の何れか１項に記載の加飾方法。
【請求項８】
前記加飾方法は、前記基材の表面を加飾するためのデータであって、前記上面を加飾するための上面データ部と、前記第一傾斜面を加飾するための第一データ部と、前記第二傾斜面を加飾するための第二データ部と、を含むデータ構造の加飾データを取得する取得工程を含み、
前記加飾工程では、前記取得工程にて取得された前記加飾データに対応してインクを吐出し、前記基材の表面を加飾する、請求項７に記載の加飾方法。
【発明の詳細な説明】
【技術分野】
【０００１】
本発明は、建築板と、建築物と、建築板の基材の表面を加飾する加飾方法に関する。
【背景技術】
【０００２】
従来、意匠性を有する建築板に関する技術が提案されている。例えば、特許文献１には、効果的な陰影塗装を施して高い意匠性を持たせた建築板等が開示されている。この建築板は、表面に凹状部を有し、凹状部は底部域と左右の側面域とを有している。凹状部は、底部域が最も濃色であり、側面域は底部域から表面側に向けて次第に淡色となるように塗装されている。左右の側面域は、凹状部を上方から水平投影した場合に水平成分の長い方の側面域の平均濃度が短い方の側面域の平均濃度よりも淡色となるように塗装がされている。
【先行技術文献】
【特許文献】
【０００３】
【特許文献１】特開平１１−２２１４２号公報
【発明の概要】
【発明が解決しようとする課題】
【０００４】
表面に凸状部が形成された建築板が実用化されている。このような建築板において、凸状部は、次のような形状とすることもできる。即ち、凸状部は、上面と、第一傾斜面と、第二傾斜面とを含む。上面は、凸状部の頂部を形成する。第一傾斜面は、上面に連続し、凸状部の基端側に向けて裾広がり状に傾斜し、建築板が建築物に取り付けられた取付状態において、上面に対して鉛直方向の下側に配置される。第二傾斜面は、上面に連続し、凸状部の基端側に向けて裾広がり状に傾斜し、取付状態において、上面に対して鉛直方向の上側に配置される。
【０００５】
このような建築板において、建築板の表面形状のうち、凸状部と対をなす凹状部に着目して加飾を行った場合、取付状態では、所望する立体性を認識させることができない場合があることを、発明者は知見した。さらに、発明者は、凸状部を視認している際、凸状部に対して、違和感を憶えることがあることも知見した。
【０００６】
本発明は、裾広がり状とされた凸状部の各傾斜面が、凸状部の頂部を形成する上面に対して鉛直方向の上下に配置された状態で建築物に取り付けられる建築板において、建築板を視認した観察者に対して、凸状部の立体感を強調させることができる、建築板、建築物及び加飾方法を提供することを目的とする。
【課題を解決するための手段】
【０００７】
上記従来の課題に鑑みなされた本発明の一側面は、表面に凸状部が形成され、表面が加飾された建築板であって、前記凸状部は、前記凸状部の頂部を形成する、平面又は平面状の上面と、前記上面に連続し、前記凸状部の基端側に向けて裾広がり状に傾斜し、前記建築板が建築物に取り付けられた取付状態において、前記上面に対して鉛直方向の下側に配置される、平面又は平面状の第一傾斜面と、前記上面に連続し、前記凸状部の基端側に向けて裾広がり状に傾斜し、前記取付状態において、前記上面に対して鉛直方向の上側に配置される、平面又は平面状の第二傾斜面と、を含み、前記第一傾斜面は、ＪＩＳ  Ｚ  ８７２９：２００４のＬ＊ａ＊ｂ＊表色系における明度が、前記上面に対する基準明度値より低い第一明度値となるように加飾され、前記第二傾斜面は、前記明度が、前記上面に対する前記基準明度値より高い第二明度値となるように加飾され、前記凸状部は、前記上面と前記第一傾斜面との境界で、前記明度が前記基準明度値から前記第一明度値へと変化し、且つ前記上面と前記第二傾斜面との境界で、前記明度が前記基準明度値から前記第二明度値へと変化した加飾状態とされる、建築板である。この建築板では、前記第二傾斜面は、前記第一傾斜面より、前記明度が９以上高くなるように加飾されている、ようにしてもよい。
【０００８】
これによれば、建築板に照射光が照射された場合に生じる陰影を、強調させた状態とすることができる。例えば、照射光が弱い場合であっても、陰影を強調することが可能となる。
【０００９】
本発明の他の側面は、上述した何れかの建築板を含む建築物であって、前記第一傾斜面が前記上面に対して鉛直方向の下側に配置され、且つ前記第二傾斜面が前記上面に対して鉛直方向の上側に配置された状態で、前記建築板が取り付けられている、建築物である。
【００１０】
これによれば、建築板が屋外又は屋内の何れに取り付けたとしても、上述した建築板と同種の作用を得ることができる。
【００１１】
本発明のさらに他の側面は、表面に凸状部が形成され、前記凸状部が、前記凸状部の頂部を形成する、平面又は平面状の上面と、前記上面に連続し、前記凸状部の基端側に向けて裾広がり状に傾斜し、建築板が建築物に取り付けられた取付状態において、前記上面に対して鉛直方向の下側に配置される、平面又は平面状の第一傾斜面と、前記上面に連続し、前記凸状部の基端側に向けて裾広がり状に傾斜し、前記取付状態において、前記上面に対して鉛直方向の上側に配置される、平面又は平面状の第二傾斜面と、を含む、前記建築板の基材の表面を加飾する加飾方法であって、前記上面と、前記第一傾斜面と、前記第二傾斜面と、を含む前記基材の表面を加飾する加飾工程を含み、前記加飾工程では、前記第一傾斜面は、ＪＩＳ  Ｚ  ８７２９：２００４のＬ＊ａ＊ｂ＊表色系における明度が、前記上面に対する基準明度値より低い第一明度値となるように加飾され、前記第二傾斜面は、前記明度が、前記上面に対する前記基準明度値より高い第二明度値となるように加飾され、前記凸状部は、前記上面と前記第一傾斜面との境界で、前記明度が前記基準明度値から前記第一明度値へと変化し、且つ前記上面と前記第二傾斜面との境界で、前記明度が前記基準明度値から前記第二明度値へと変化した加飾状態とされる、加飾方法である。この加飾方法では、前記加飾工程において、前記第二傾斜面は、前記第一傾斜面より、前記明度が９以上高くなるように加飾される、ようにしてもよい。また、この加飾方法では、前記加飾工程において、前記第二傾斜面は、前記第一傾斜面より、前記明度が３１以上高くなるように加飾される、ようにしてもよい。
【００１２】
上述した加飾方法によれば、上述した建築板と同様の作用を得ることができる。即ち、陰影を強調させることが可能な建築板を生産することができる。
【００１３】
また、前記加飾工程では、インクジェット記録装置が備えるインクジェットヘッドからインクを吐出して、前記基材の表面を加飾する、ようにしてもよい。これによれば、加飾工程を、インクジェット記録装置によるインクジェット方式にて、効率よく行うことができる。加飾工程において、好適な品質の加飾を行うことができる。
【００１４】
また、前記加飾方法は、前記基材の表面を加飾するためのデータであって、前記上面を加飾するための上面データ部と、前記第一傾斜面を加飾するための第一データ部と、前記第二傾斜面を加飾するための第二データ部と、を含むデータ構造の加飾データを取得する取得工程を含み、前記加飾工程では、前記取得工程にて取得された前記加飾データに対応してインクを吐出し、前記基材の表面を加飾する、ようにしてもよい。これによれば、建築板の表面形状に合わせて加飾することができる。その際、上面、第一傾斜面及び第二傾斜面において、加飾の位置ずれを防ぐことができる。上述したようなデータ構造の加飾データとすることで、上面、第一傾斜面及び第二傾斜面のそれぞれにおいて、明度を変更させた複雑な加飾を、好適に行うことができる。上面データ部、第一データ部及び第二データ部のそれぞれについて、好適な明度を設定すれば、上面、第一傾斜面及び第二傾斜面のそれぞれを、好適な明度とすることができる。
【発明の効果】
【００１５】
本発明によれば、裾広がり状とされた凸状部の各傾斜面が、凸状部の頂部を形成する上面に対して鉛直方向の上下に配置された状態で建築物に取り付けられる建築板において、建築板を視認した観察者に対して、凸状部の立体感を強調させることができる、建築板、建築物及び加飾方法を得ることができる。
【図面の簡単な説明】
【００１６】
【図１】建築板の基材の一例を示す図である。（Ａ）は、基材の表面を示す正面図である。（Ｂ）は、基材の右側面図である。（Ｃ）は、図１（Ｂ）に示すＭ部拡大図である。
【図２】建築板の表面の一例を示す図である。
【図３】光源から照射された照射光が建築板の表面に照射された状態を説明する図である。
【図４】第一傾斜面及び第二傾斜面の傾斜角度が４５°である、グレー色で加飾された建築板の凸状部の一例を示す図である。（Ａ）は、上面の垂線と光線とのなす角度（θ）が３０°に設定された場合の一例を示す図である。（Ｂ）は、上面の垂線と光線とのなす角度（θ）が４５°に設定された場合の一例を示す図である。
【発明を実施するための形態】
【００１７】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜建築板＞
建築板２０について、図１及び図２等を参照して説明する。建築板としては、建築物の内装材（内壁等）として利用される建築板と、建築物の外装材（外壁等）として利用される建築板とがある。本実施形態における建築板２０は、所定の光源からの照射光が照射される場所に取り付けられる建築板であればよく、内装材及び外装材の何れの建築板であっても、採用することができる。以下では、外装材としての建築板２０を例として説明する。
【００１９】
図１（Ａ）〜（Ｃ）に示す、基材３０は、既に実用化されている建築板を構成する基材と同様である。加飾（模様付け）される基材３０の表面には、凸状部５０が形成されている。凸状部５０は、図１（Ａ），（Ｂ）に示すように、一定の方向に、所定の間隔で、繰り返して形成される。一定の方向は、基材３０を加飾して形成される建築板２０が建築物に取り付けられた際の鉛直方向に一致する。上面５１は、凸状部５０の頂部を形成する面である。第一傾斜面５３は、上面５１に連続し、凸状部５０の基端５７の側に向けて裾広がり状に傾斜した面である。第二傾斜面５５は、上面５１に連続し、凸状部５０の基端５７の側に向けて裾広がり状に傾斜した面である。建築板２０が、建築物に取り付けられたとする。具体的には、外装材としての建築板２０が、建築物としての住宅の外壁として取り付けられたとする。このような状態（取付状態）において、第一傾斜面５３は、上面５１に対して鉛直方向の下側に配置される。取付状態において、第二傾斜面５５は、上面５１に対して鉛直方向の上側に配置される。
【００２０】
上面５１と、第一傾斜面５３と、第二傾斜面５５とは、共に、平面又は平面状の面である。平面状の面とは、表面に意匠性を付与すること等を目的として、起伏等が形成されているものの、全体としては、略平となる面である。図１（Ｃ）に示すように、上面５１に対する、第一傾斜面５３の傾斜角度は、θ３に設定され、第二傾斜面５５の傾斜角度は、θ４に設定される。本実施形態の基材３０（建築板２０）では、θ３及びθ４は、同一の角度に設定される。例えば、θ３及びθ４は、３０°、４０°、４５°、６０°といった角度に設定される。θ３及びθ４は、これら例示した角度以外の角度であってもよい。θ３及びθ４は、それぞれ異なる角度であってもよい。
【００２１】
建築板２０は、上面５１と第一傾斜面５３と第二傾斜面５５とを含む基材３０の表面を、所定の模様に加飾して形成される。従って、建築板２０の表面は、所定の模様に加飾された状態となる。例えば、建築板２０は、図２に示すように、基材３０の表面を、岩肌調（石目調）に加飾して形成され、その表面は、岩肌調に加飾された状態となる。図２に示す状態において、第一傾斜面５３は、上面５１より、ＪＩＳ  Ｚ  ８７２９：２００４のＬ＊ａ＊ｂ＊表色系における明度が低くなるように加飾されている。即ち、第一傾斜面５３の明度を、Ｌ＊（１）とし、上面５１の明度を、Ｌ＊としたとき、Ｌ＊（１）及びＬ＊は、「Ｌ＊（１）＜Ｌ＊」の関係を満たす。第二傾斜面５５は、上面５１より、ＪＩＳ  Ｚ  ８７２９：２００４のＬ＊ａ＊ｂ＊表色系における明度が高くなるように加飾されている。即ち、第二傾斜面５５の明度を、Ｌ＊（２）としたとき、Ｌ＊（２）及びＬ＊は、「Ｌ＊＜Ｌ＊（２）」の関係を満たす。
【００２２】
＜加飾方法＞
建築板２０の基材３０の表面を加飾する加飾方法は、加飾のための各種の装置を用いて行うことができる。例えば、インクジェット記録装置を用いて行われる。インクジェット記録装置によれば、好適な品質の加飾を、効率よく行うことができる。インクジェット記録装置としては、従来使用されているインクジェット記録装置を利用することができる。インクジェット記録装置は、インクを吐出するインクジェットヘッドを備える。インクジェット記録装置は、加飾に用いられるインク色に対応した数のインクジェットヘッドを備える。各インクジェットヘッドからは、対応した色のインクが吐出される。加飾に用いられるインクとしては、活性エネルギー硬化型インクが例示される。この場合、インクジェット記録装置は、活性エネルギーを照射するための照射部を備える。活性エネルギー硬化型インクとしては、紫外線硬化型インク、電子線硬化型インク等が例示される。例えば、紫外線硬化型インクが用いられる場合、基材３０の表面への加飾（インク吐出）が完了した状態で、基材３０の表面（着弾したインク滴によるインクドット）に、紫外線が照射される。これによって、インクドットは硬化する。インクジェット記録装置が備える照射部は、紫外線照射部にて構成される。
【００２３】
インクジェット記録装置を用いた加飾方法によれば、基材３０の表面を、フルカラーで加飾することが可能で、表面がフルカラーで加飾された建築板２０を生産することができる。換言すれば、この加飾方法によれば、フルカラーの画像が基材３０の表面に記録された建築板２０を生産することができる。インクジェット記録装置についてのこの他の説明は、省略する。
【００２４】
加飾方法は、加飾データを取得する取得工程と、基材３０の表面を加飾する加飾工程とを含む。取得工程では、加飾データが取得される。加飾データは、例えば、インクジェット記録装置とデータ通信可能に接続された情報処理装置が備える、ハードディスクのような記憶部に記憶されている。情報処理装置では、インクジェット記録装置で加飾を開始させる場合、記憶部から加飾データが、自装置が備えるＲＡＭのような記憶領域に読み出される。これによって、情報処理装置は、基材３０の表面の加飾に対応した加飾データを、取得する。
【００２５】
加飾データは、基材３０の表面を加飾するためのデータである。加飾データは、上面データ部と、第一データ部と、第二データ部とを含むデータ構造を有する。上面データ部は、上面５１を加飾するためのデータである。第一データ部は、第一傾斜面５３を加飾するためのデータである。第二データ部は、第二傾斜面５５を加飾するためのデータである。図２に示すように、基端５７も加飾される場合、加飾データは、基端５７を加飾するための基端データ部も含む。上面データ部と、第一データ部と、第二データ部とは、それぞれ、上述した通り、「Ｌ＊（１）＜Ｌ＊」及び「Ｌ＊＜Ｌ＊（２）」の関係を満たした上で、次のような明度に設定されている。即ち、第一データ部は、上面データ部に対して、式１の関係を満たすような明度に設定されている。第二データ部は、上面データ部に対して、式２の関係を満たすような明度に設定されている。
式１：Ｌ＊（１）＝Ｌ＊×ｃｏｓ（θ１）／ｃｏｓ（θ）
式２：Ｌ＊（２）＝Ｌ＊×ｃｏｓ（θ２）／ｃｏｓ（θ）
ここで、θ，θ１及びθ２は、図３に示すような角度である。具体的に、θは、上面５１の垂線ＰＬと、建築板２０に照射される照射光の光線とのなす角度である。θ１は、第一傾斜面５３の垂線ＰＬ１と、建築板２０に照射される照射光の光線（光線の角度は、前述の通り、θである）とのなす角度である。θ２は、第二傾斜面５５の垂線ＰＬ２と、建築板２０に照射される照射光の光線とのなす角度である。
【００２６】
建築板２０が外装材（外壁）である場合、図３に示す光源は、太陽であり、照射光は太陽光である。従って、θは、太陽の高度に一致する。日本における高度は、０°（日の出、日の入り）〜７８°（南中高度）となる。θ１は「θ３＋θ」であり、θ２は「θ４−θ」である。上述した通り、θ３は、第一傾斜面５３の傾斜角度であり、θ４は、第二傾斜面５５の傾斜角度である。従って、θ１に代えてθ３を用いれば、上記の式１は、
Ｌ＊（１）＝Ｌ＊×ｃｏｓ（θ３＋θ）／ｃｏｓ（θ）
と定義することもできる。同様に、θ２に代えてθ４を用いれば、上記の式２は、
Ｌ＊（２）＝Ｌ＊×ｃｏｓ（θ４−θ）／ｃｏｓ（θ）
と定義することもできる。
【００２７】
情報処理装置では、取得された加飾データを画像処理し、インクジェット記録装置に送信するためのデータが生成される。生成されたデータは、インクジェット記録装置に送信される。インクジェット記録装置では、加飾工程が実行され、自装置が備えるインクジェットヘッドから、インクが吐出され、基材３０の表面が加飾される。加飾工程は、具体的には、次のようにして実行される。インクジェット記録装置では、情報処理装置からのデータが受信され、自装置が備えるＲＡＭのような記憶領域に記憶される。インクジェット記録装置では、記憶領域に記憶されたデータから、インクジェットヘッドに供給される駆動信号が生成される。生成された駆動信号は、インクジェットヘッドに供給される。
【００２８】
インクジェット記録装置では、自装置が備える搬送部に載せ置かれた基材３０の搬送を開始する。基材３０は、搬送部によって、インクジェットヘッドの位置に搬送される。インクジェットヘッドでは、生成された駆動信号に従い、インクが吐出される。吐出されたインクは、搬送部にて搬送されてきた基材３０の表面に着弾し、基材３０の表面が加飾される。
【００２９】
駆動信号は、上述した通り、加飾データに基づき生成される。そのため、加飾工程では、加飾データに対応したインクの吐出が制御される。その結果、上面５１は、上面データに対応した状態に加飾される。第一傾斜面５３は、第一データに対応した状態に加飾される。第二傾斜面５５は、第二データに対応した状態に加飾される。
【００３０】
上面データ部による加飾にて、上面５１に記録される模様と、第一データ部による加飾にて、第一傾斜面５３に記録される模様と、第二データ部による加飾にて、第二傾斜面５５に記録される模様とは、何れも、どのような模様であってもよい。上面５１、第一傾斜面５３及び第二傾斜面５５のそれぞれによる模様は、それぞれが連続して所定の柄を形成するような関係であってもよい。例えば、一組の、上面データ部、第一データ部及び第二データ部は、連続した１つのまとまりある柄に対応したデータとなる。この他、加飾データにて建築板２０の表面全体が、まとまりある１つの柄（図２に示すような「岩肌調」の柄。他の例としては、「レンガ調」の柄）とされるような場合、一組の、上面データ部、第一データ部及び第二データ部は、まとまりある１つの柄の、連続した一部に対応したデータとなる。
【００３１】
＜凸状部＞
上述した式１及び式２によって算出される明度（Ｌ＊（１），Ｌ＊（２））に基づいた加飾がなされた凸状部５０について、図４を参照して説明する。図４（Ａ），（Ｂ）は、図２同様、凸状部５０を、上面５１の側から視た図である。図４に示す例は、第一傾斜面５３及び第二傾斜面５５の傾斜角度に関し、θ３及びθ４は、共に４５°である。凸状部５０は、何れの場合も、グレー色で加飾されている。上面５１のＬ＊は、図４（Ａ），（Ｂ）で共通し、５４である。
【００３２】
θが３０°である場合、Ｌ＊（１）は、式１と、「θ１＝θ３＋θ」との関係より、
Ｌ＊（１）＝Ｌ＊×ｃｏｓ（４５°＋３０°）／ｃｏｓ３０°＝０．３Ｌ＊
となり、Ｌ＊（２）は、式２と、「θ２＝θ４−θ」との関係より、
Ｌ＊（２）＝Ｌ＊×ｃｏｓ（４５°−３０°）／ｃｏｓ３０°＝１．１１Ｌ＊
となる。上述した通り、Ｌ＊は５４であるから、Ｌ＊（１）は「０．３×５４＝１６」となり、Ｌ＊（２）は「１．１１×５４＝６０」となる。Ｌ＊及びＬ＊（１）は、「Ｌ＊（１）＜Ｌ＊」を満たし、Ｌ＊及びＬ＊（２）は、「Ｌ＊＜Ｌ＊（２）」の関係を満たす。このように設定された加飾データ、具体的には、Ｌ＊が５４に設定された上面データ部と、Ｌ＊（１）が１６に設定された第一データ部と、Ｌ＊（２）が６０に設定された第二データ部とを含む加飾データに対応して加飾された凸状部５０は、図４（Ａ）に示すような状態となる。図４（Ａ）から明らかな通り、このように加飾された凸状部５０では、立体感を得ることができる。
【００３３】
θが４５°である場合、Ｌ＊（１）は、式１と、「θ１＝θ３＋θ」との関係より、
Ｌ＊（１）＝Ｌ＊×ｃｏｓ（４５°＋４５°）／ｃｏｓ４５°＝０
となり、Ｌ＊（２）は、式２と、「θ２＝θ４−θ」との関係より、
Ｌ＊（２）＝Ｌ＊×ｃｏｓ（４５°−４５°）／ｃｏｓ４５°＝１．４１Ｌ＊
となる。上述した通り、Ｌ＊は５４であるから、Ｌ＊（２）は「１．４１×５４＝７６」となる。Ｌ＊（１）は０である。Ｌ＊及びＬ＊（１）は、「Ｌ＊（１）＜Ｌ＊」を満たし、Ｌ＊及びＬ＊（２）は、「Ｌ＊＜Ｌ＊（２）」の関係を満たす。このように設定された加飾データ、具体的には、Ｌ＊が５４に設定された上面データ部と、Ｌ＊（１）が０に設定された第一データ部と、Ｌ＊（２）が７６に設定された第二データ部とを含む加飾データに対応して加飾された凸状部５０は、図４（Ｂ）に示すような状態となる。図４（Ｂ）から明らかな通り、このように加飾された凸状部５０では、立体感を得ることができる。
【００３４】
＜実験結果＞
今回、図１に示すような基材３０の表面を、各種の加飾データにて加飾した供試板（建築板２０を含む建築板）を作製し、各供試板に対する立体感を官能試験した。以下、実験結果について説明する。以下に記載する「実験結果」では、上述した説明と共通する構成については、同一の名称及び符号を用いて説明する。
【００３５】
＜実験方法＞
今回の実験では、パターンの異なる実験１〜実験３及び実験４を実施した。実験１〜実験３では、複数の加飾データを生成し、生成された各加飾データにて、基材３０の表面を加飾した各供試板を、下記に記載の評価基準に従い点数付けした。この評価基準の各項目における比較対象（基準）は、上面５１、第一傾斜面５３及び第二傾斜面５５の全体（凸状部５０の表面）を、同一明度で加飾された比較板である。例えば、評価点が２点である「僅かに立体感が強調されている」は、供試板が、比較板と比較し、僅かに立体感が強調されていると感じた場合に選択される項目である。１つの供試板に対し、１０人が評価し、各人の点数から平均値を求め、評価対象の供試板の評価点とした。評価点が２以上である場合、評価を「○」（立体感を強調させることができる）とし、２未満である場合、評価を「×」（立体感を強調できていない）とした。なお、詳細は後述するが、実験２の表２における評価も、前述の基準に準じて行った結果である。
（評価基準）
立体感がなくなっている      ・・・０点
立体感に差がない            ・・・１点
僅かに立体感が強調されている・・・２点
顕著に立体感が強調されている・・・３点
【００３６】
実験４についても、複数の加飾データを生成し、生成された各加飾データにて、基材３０の表面を加飾した各供試板を対象とし、評価を行った。実験４での評価についても、上記基準に準じて行った。評価が「○」又は「×」の何れとも判断できない場合、「△」とした。極めて顕著に立体感が強調されている場合、評価を「◎」とした。実験１〜実験４での加飾データの詳細等、各実験特有の実験条件については、実験１〜実験４の各記載において、説明する。
【００３７】
実験１〜実験４では、各実験にて作製した供試板を対象として、Ｌ＊、Ｌ＊（１）及びＬ＊（２）を測定した。測定には、微小面分光色差計（日本電色工業株式会社製のＶＳＳ４００）を用いた。測定光源はＤ６５とした。測定光源からの光線は、測定面に対して垂直な方向から照射される。
【００３８】
＜実験１＞
実験１は、次のような条件に基づくものである。第一傾斜面５３及び第二傾斜面５５の傾斜角度に関し、実験１における供試板１〜１０は、θ３及びθ４（図１（Ｃ）参照）を、共に４５°（絶対値）とした凸状部５０が形成されたものである。基材３０は、窯業板である。供試板１〜１０の加飾に用いた各加飾データに関し、実験１では、上面データ部に、Ｌ＊（理論値）を５４としたベージュ色を設定した。実験１では、光線の角度、即ち、図３に示すθを、０°〜８０°の範囲で１０°間隔の各角度と、４５°とに設定した。設定したθの範囲に関し、下限としての０°は、日本における、日の出、日の入りの際の太陽の高度であり、上限としての８０°は、日本における南中高度相当の角度である。
【００３９】
このような条件の下、実験１では、「θ３，θ４＝４５°」と、Ｌ＊「５４」と、各θとを用いて、θ毎に、式１（θ１としてθ３＋θを利用）からＬ＊（１）を算出し、式２（θ２としてθ４−θを利用）からＬ＊（２）を算出した。但し、供試板６〜１０（θが４５°以上）では、Ｌ＊（１）の理論値は０で一定とした。これは、θが４５°以上（θ３+θ＝９０°以上）の角度となると、理論上、光線は第一傾斜面５３に交差しなくなる（θ及びθ３が共に４５°である場合（「供試板６」参照）、光線は、第一傾斜面５３に平行となる）。θが４５°以上の角度となると、式１にて算出される理論上のＬ＊（１）の値は、０以下となる。明度の下限は０であるため、式１にて求められるＬ＊（１）が負の値となる供試板７〜１０についても、Ｌ＊（１）の理論値は０とした。供試板８〜１０（θが６０°以上）では、Ｌ＊（２）の理論値は１００で一定とした。
【００４０】
供試板１〜１０の加飾に用いた各加飾データに関し、実験１では、第一データ部及び第二データ部に、このように算出又は設定したＬ＊（１）及びＬ＊（２）（共に理論値）としたベージュ色を設定した。即ち、実験１におけるθ毎の供試板１〜１０は、上面５１がＬ＊「５４」（平均明度）のベージュ色で、第一傾斜面５３がθ毎のＬ＊（１）のベージュ色で、第二傾斜面５５がθ毎のＬ＊（２）のベージュ色となるよう、紫外線硬化型インクを用いてインクジェット記録装置で加飾されたものである。このように加飾された上面５１のＬ＊の測定値は、５４．４であり、理論値と同一視できる状態であった。同じく、θ毎の第一傾斜面５３のＬ＊（１）の測定値と、θ毎の第二傾斜面５５のＬ＊（２）の測定値とについても、表１に示す通りとなり、理論値と同一視できる状態であった。なお、供試板６〜１０（θが４５°以上）では、Ｌ＊（１）の測定値は２．２で一定となった。供試板８〜１０（θが６０°以上）では、Ｌ＊（２）の測定値は８７．０で一定となった。このような相違は、「０」及び「１００」が、理論上の値であるためである。
【００４１】
実験１の結果は、表１に示す通り、供試板４〜１０（θ：３０°〜８０°）で、比較板に対し、凸状部５０の立体感が強調されていることが確認された。供試板４〜１０は、何れも、上述した、第一傾斜面５３の加飾に関する条件（「Ｌ＊（１）＜Ｌ＊」及び式１）と、第二傾斜面５５の加飾に関する条件（「Ｌ＊＜Ｌ＊（２）」及び式２）とを満たしている。供試板１〜３は、理論値及び測定値の両方について、「Ｌ＊＜Ｌ＊（２）」を満たしていない。
【表１】
0005996178.tif 000002
【００４２】
＜実験２＞
実験２は、次のような条件に基づくものである。第一傾斜面５３及び第二傾斜面５５の傾斜角度に関し、実験２における供試板１〜１０は、θ３及びθ４（図１（Ｃ）参照）を、共に６０°（絶対値）とした凸状部５０が形成されたものである。基材３０は、珪酸カルシウム板である。供試板１〜１０の加飾に用いた各加飾データに関し、実験２では、上面データ部に、Ｌ＊（理論値）を４２とした茶色を設定した。実験２での光線の角度（図３に示す「θ」参照）は、実験１と同様である。これに関する説明は、省略する。
【００４３】
このような条件の下、実験２では、「θ３，θ４＝６０°」と、Ｌ＊「４２」と、各θとを用いて、θ毎に、式１（θ１としてθ３＋θを利用）からＬ＊（１）を算出し、式２（θ２としてθ４−θを利用）からＬ＊（２）を算出した。但し、供試板４〜１０（θが３０°以上）では、Ｌ＊（１）の理論値は０で一定とした。実験１の場合と同様、θが３０°以上（θ３+θ＝９０°以上）の角度となると、理論上、光線は第一傾斜面５３に交差しなくなる（θが３０°である場合（「供試板４」参照）、光線は、第一傾斜面５３に平行となる）。θが３０°以上の角度となると、式１にて算出される理論上のＬ＊（１）の値は、０以下となる。Ｌ＊（１）が負の値となる供試板５〜１０について、Ｌ＊（１）の理論値を０としている点についても、実験１と同様である。供試板９，１０（θが７０°以上）では、Ｌ＊（２）の理論値は１００で一定とした。
【００４４】
供試板１〜１０の加飾に用いた各加飾データに関し、実験２では、第一データ部及び第二データ部に、このように算出又は設定したＬ＊（１）及びＬ＊（２）（共に理論値）とした茶色を設定した。即ち、実験２におけるθ毎の供試板１〜１０は、上面５１がＬ＊「４２」（平均明度）の茶色で、第一傾斜面５３がθ毎のＬ＊（１）の茶色で、第二傾斜面５５がθ毎のＬ＊（２）の茶色となるよう、紫外線硬化型インクを用いてインクジェット記録装置で加飾されたものである。このように加飾された上面５１のＬ＊の測定値は、４２．３であり、理論値と同一視できる状態であった。同じく、θ毎の第一傾斜面５３のＬ＊（１）の測定値と、θ毎の第二傾斜面５５のＬ＊（２）の測定値とについても、表２に示す通りとなり、理論値と同一視できる状態であった。なお、供試板４〜１０（θが３０°以上）では、Ｌ＊（１）の測定値は２．５で一定となった。供試板９，１０（θが７０°以上）では、Ｌ＊（２）の測定値は８６．２で一定となった。このような相違は、上記同様、「０」及び「１００」が、理論上の値であるためである。
【００４５】
実験２の結果は、表２に示す通りであり、第一傾斜面５３に関し、全ての供試板１〜１０で、比較板に対し、立体感が強調されていることが確認された。第二傾斜面５５に関し、供試板４〜１０で、比較板に対し、立体感が強調されていることが確認された。この結果、実験２では、供試板４〜１０で、比較板に対し、凸状部５０の立体感が強調されていた。供試板４〜１０は、何れも、上述した、第一傾斜面５３の加飾に関する条件（「Ｌ＊（１）＜Ｌ＊」及び式１）と、第二傾斜面５５の加飾に関する条件（「Ｌ＊＜Ｌ＊（２）」及び式２）とを満たしている。供試板１〜３は、理論値及び測定値の両方について、「Ｌ＊＜Ｌ＊（２）」を満たしていない。
【表２】
0005996178.tif 000003
【００４６】
＜実験３＞
実験３は、次のような条件に基づくものである。第一傾斜面５３及び第二傾斜面５５の傾斜角度に関し、実験３における供試板１〜１０は、θ３及びθ４（図１（Ｃ）参照）を、共に３０°（絶対値）とした凸状部５０が形成されたものである。基材３０は、金属サイディングボードである。供試板１〜１０の加飾に用いた各加飾データに関し、実験３では、上面データ部に、Ｌ＊（理論値）を５８としたグレー色を設定した。実験３での光線の角度（図３に示す「θ」参照）は、実験１と同様である。これに関する説明は、省略する。
【００４７】
このような条件の下、実験３では、「θ３，θ４＝３０°」と、Ｌ＊「５８」と、各θとを用いて、θ毎に、式１（θ１としてθ３＋θを利用）からＬ＊（１）を算出し、式２（θ２としてθ４−θを利用）からＬ＊（２）を算出した。但し、供試板８〜１０（θが６０°以上）では、Ｌ＊（１）の理論値は０で一定とした。実験１の場合と同様、θが６０°以上（θ３+θ＝９０°以上）の角度となると、理論上、光線は第一傾斜面５３に交差しなくなる（θが６０°である場合（「供試板８」参照）、光線は、第一傾斜面５３に平行となる）。θが６０°以上の角度となると、式１にて算出される理論上のＬ＊（１）の値は、０以下となる。Ｌ＊（１）が負の値となる供試板９，１０について、Ｌ＊（１）の理論値を０としている点についても、実験１と同様である。供試板８〜１０（θが６０°以上）、Ｌ＊（２）の理論値は１００で一定とした。
【００４８】
供試板１〜１０の加飾に用いた各加飾データに関し、実験３では、第一データ部及び第二データ部に、このように算出又は設定したＬ＊（１）及びＬ＊（２）（共に理論値）としたグレー色を設定した。即ち、実験３におけるθ毎の供試板１〜１０は、上面５１がＬ＊「５８」（平均明度）のグレー色で、第一傾斜面５３がθ毎のＬ＊（１）のグレー色で、第二傾斜面５５がθ毎のＬ＊（２）のグレー色となるよう、紫外線硬化型インクを用いてインクジェット記録装置で加飾されたものである。このように加飾された上面５１のＬ＊の測定値は、５７．８であり、理論値と同一視できる状態であった。同じく、θ毎の第一傾斜面５３のＬ＊（１）の測定値と、θ毎の第二傾斜面５５のＬ＊（２）の測定値とについても、表３に示す通りとなり、理論値と同一視できる状態であった。なお、供試板８〜１０（θが６０°以上）では、Ｌ＊（１）の測定値は１．９で一定となった。供試板８〜１０（θが６０°以上）では、Ｌ＊（２）の測定値は８６．３で一定となった。このような相違は、上記同様、「０」及び「１００」が、理論上の値であるためである。
【００４９】
実験３の結果は、表３に示す通りであり、供試板３〜１０（θ：２０°〜８０°）で、比較板に対し、凸状部５０の立体感が強調されていることが確認された。供試板３〜１０は、何れも、上述した、第一傾斜面５３の加飾に関する条件（「Ｌ＊（１）＜Ｌ＊」及び式１）と、第二傾斜面５５の加飾に関する条件（「Ｌ＊＜Ｌ＊（２）」及び式２）とを満たしている。供試板１，２は、理論値及び測定値の両方について、「Ｌ＊＜Ｌ＊（２）」を満たしていない。
【表３】
0005996178.tif 000004
【００５０】
＜実験４＞
実験４は、次のような条件に基づくものである。第一傾斜面５３及び第二傾斜面５５の傾斜角度に関し、実験４における供試板１〜１２は、θ３及びθ４（図１（Ｃ）参照）を、共に５０°（絶対値）とした凸状部５０が形成されたものである。基材３０は、窯業板である。供試板１〜１２の加飾に用いた各加飾データに関し、実験４では、上面データ部に、Ｌ＊（理論値）を４０としたグレー色を設定した。上面５１のＬ＊の測定値は、４０．７であり、理論値と同一視できる状態であった。
【００５１】
実験４では、上面５１を基準として、第一傾斜面５３及び第二傾斜面５５の明度を変化させた水準が異なる供試板１〜１２を製作した。供試板１〜３は、何れも、Ｌ＊（１）及びＬ＊（２）をＬ＊より低くした供試板である。即ち、供試板１〜３は、第一傾斜面５３及び第二傾斜面５５が上面５１より明度が低い供試板である。供試板４〜６は、何れも、Ｌ＊（１）及びＬ＊（２）をＬ＊より高くした供試板である。即ち、供試板４〜６は、第一傾斜面５３及び第二傾斜面５５が上面５１より明度が高い供試板である。供試板７〜９は、Ｌ＊（１）をＬ＊より高くし、Ｌ＊（２）をＬ＊より低くした供試板である。即ち、供試板７〜９は、第一傾斜面５３が上面５１より明度が高く、第二傾斜面５５が上面５１より明度が低い供試板である。供試板１０〜１２は、Ｌ＊（１）をＬ＊より低くし、Ｌ＊（２）をＬ＊より高くした供試板である。即ち、供試板１０〜１２は、第一傾斜面５３が上面５１より明度が低く、第二傾斜面５５が上面５１より明度が高い供試板であって、「Ｌ＊（１）＜Ｌ＊」及び「Ｌ＊＜Ｌ＊（２）」を満たす供試板である。なお、表４の第一傾斜面５３及び第二傾斜面５５の測定値差（Ｌ＊（１）−Ｌ＊，Ｌ＊（２）−Ｌ＊）に関し、その値がマイナスである場合、第一傾斜面５３又は第二傾斜面５５は、上面５１より明度が低い。その値がプラスである場合、第一傾斜面５３又は第二傾斜面５５は、上面５１より明度が高い。
【００５２】
実験４の結果は、表４に示す通りであり、供試板１０〜１２で、供試板１〜９に対して、凸状部５０の立体感が強調されていることが確認された。
【表４】
0005996178.tif 000005
【００５３】
＜考察＞
供試板（建築板２０）における凸状部５０の加飾状態を、第一傾斜面５３の加飾に関する条件（「Ｌ＊（１）＜Ｌ＊」及び式１）と、第二傾斜面５５の加飾に関する条件（「Ｌ＊＜Ｌ＊（２）」及び式２）とを満たすようにすることで、比較板に対して、凸状部５０の立体感を強調させることが可能となることが確認された（実験１〜実験３参照）。また、「Ｌ＊（１）＜Ｌ＊」及び「Ｌ＊＜Ｌ＊（２）」を満たすことで、これを満たさない状態である場合（実験４の供試板１〜９参照）と比較し、凸状部５０の立体感を強調させることが可能となることが確認された（実験４参照）。従って、「Ｌ＊（１）＜Ｌ＊」及び「Ｌ＊＜Ｌ＊（２）」等を満たすようにした加飾状態である建築板２０を、上面５１に対して鉛直方向の下側に第一傾斜面５３を配置し、同上側に第二傾斜面５５が配置されるように、建築物に取り付ければ、建築板２０（建築物）を視認した観察者に対して、凸状部５０の立体感を強調させることができる。
【００５４】
ところで、実験２のように、第一傾斜面５３及び第二傾斜面５５を、個別に評価した結果に基づけば、次に記載のような建築板を特定することもできる。即ち、表面に凸状部が形成され、表面が加飾された建築板であって、前記凸状部は、前記凸状部の頂部を形成する上面と、前記上面に連続し、前記凸状部の基端側に向けて裾広がり状に傾斜し、前記建築板が建築物に取り付けられた取付状態において、前記上面に対して鉛直方向の下側に配置される第一傾斜面と、前記上面に連続し、前記凸状部の基端側に向けて裾広がり状に傾斜し、前記取付状態において、前記上面に対して鉛直方向の上側に配置される第二傾斜面と、を含み、前記第一傾斜面は、前記上面より、ＪＩＳ  Ｚ  ８７２９：２００４のＬ＊ａ＊ｂ＊表色系における明度が低くなるように加飾されている、建築板である。この場合、第一傾斜面の明度（Ｌ＊（１））は、前述の条件を満たした上で、上記の式１によって設定されてもよい。
【００５５】
また、表面に凸状部が形成され、表面が加飾された建築板であって、前記凸状部は、前記凸状部の頂部を形成する上面と、前記上面に連続し、前記凸状部の基端側に向けて裾広がり状に傾斜し、前記建築板が建築物に取り付けられた取付状態において、前記上面に対して鉛直方向の下側に配置される第一傾斜面と、前記上面に連続し、前記凸状部の基端側に向けて裾広がり状に傾斜し、前記取付状態において、前記上面に対して鉛直方向の上側に配置される第二傾斜面と、を含み、前記第二傾斜面は、前記上面より、ＪＩＳ  Ｚ  ８７２９：２００４のＬ＊ａ＊ｂ＊表色系における明度が高くなるように加飾されている、建築板として特定することもできる。この場合、第二傾斜面の明度（Ｌ＊（２））は、前述の条件を満たした上で、上記の式２によって設定されてもよい。
【００５６】
この他、上述した２つの建築板のための加飾方法として特定することもできる。この場合の加飾方法は、上記同様、例えば、インクジェット記録装置にて行うことが可能で、その際、上面データ部と、好適な明度が設定された、第一データ部又は第二データ部を含む加飾データが用いられる。このような建築板又は加飾方法によっても、第一傾斜面又は第二傾斜面において凸状部の立体感を強調させることができる。
【００５７】
＜変形例＞
本実施形態は、次のようにすることもできる。上記では、第一傾斜面５３及び第二傾斜面５５が、平面又は平面状の面である構成を例として説明した。第一傾斜面５３及び第二傾斜面５５は、基端５７の側に裾広がり状であれば、曲面であってもよい。この場合、上述した垂線（図３に示す「ＰＬ１」及び「ＰＬ２」参照）は、曲面における法線として定義される。
【符号の説明】
【００５８】
２０  建築板、  ３０  基材、  ５０  凸状部
５１  上面、  ５３  第一傾斜面、  ５５  第二傾斜面、  ５７  基端
ＰＬ，ＰＬ１，ＰＬ２  垂線
【図１】
0005996178.tif 000006
【図３】
0005996178.tif 000007
【図２】
0005996178.tif 000008
【図４】
0005996178.tif 000009